【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
三次元支持構造体であって、
セルの反復パターンに折り曲げられ、複数のセルで形成された凹所の複数の柱を備える１枚の材料シートを有し、
該１枚の材料シートは、各隣接した一対の凹所の柱の間に実質的に連続する四層壁を形成する、三次元支持構造。
【請求項２】
実質的に連続する四層壁は、互いに平行に延びる、請求項１に記載の構造体。
【請求項３】
実質的に連続する四層壁の各々は、長手方向に配置された複数の四層壁セグメントから形成されている、請求項２に記載の構造体。
【請求項４】
各凹所は、一部が、間隔を隔てた四層壁セグメントから形成されている、請求項２に記載の構造体。
【請求項５】
各四層壁セグメントは、一対の二層壁セグメントから形成されており、各二層壁セグメントは、二層壁セグメントの長手方向に沿って延びる折り目で接合し、二層の材料シートから形成されている、請求項３に記載の構造体。
【請求項６】
材料シートは、紙である、請求項１に記載の構造体。
【請求項７】
反復セルのパターンは、互いに平行に延び、向かい合う第１の面と第２の面を形成する、請求項１に記載の構造体。
【請求項８】
第１の面に取り付けられたライナーをさらに含む、請求項７に記載の構造体。
【請求項９】
第２の面に取り付けられた追加のライナーをさらに含む、請求項８に記載の構造体。
【請求項１０】
実質的に連続する四層壁は、第１の面と第２の面の間に延びる、請求項７に記載の構造体。
【請求項１１】
実質的に連続する四層壁は、第１の面及び第２の面と垂直に延びる請求項１０に記載の構造体。
【手続補正２】
【補正対象書類名】明細書
【補正対象項目名】００３０
【補正方法】変更
【補正の内容】
【００３０】
第２の折り目路６０の第１のパターン６０ａの第３の脚５６は、Ｙ軸に沿って、隣接した又は第２の折り目路６０の第２のパターン６２の第１の脚５０に連結され、第２のパターン６２の第３の脚は、Ｙ軸に沿って隣接した又は第２の折り目路６０の第３のパターン６４の第１の脚５０に連結される。第１のパターン６０ａの第３の脚５６と隣接した第２のパターン６２の第１の脚５０の間の第３の角６６は、第２の角度５８と反対の１５０度の角度からなる。
【手続補正３】
【補正対象書類名】明細書
【補正対象項目名】００３１
【補正方法】変更
【補正の内容】
【００３１】
複数の追加の脚が、Ｘ軸で隣接する、第２の折り目路６０の反復パターンを、平行な、第２の折り目路６０の反復パターン６８に連結する。即ち、第４の脚７０が、６０度の第４の角度７２で、第１の脚５０から延び、第２の折り目路６０の第１のパターン６０ａの第１の脚５０を、Ｘ軸で対応する、第２の折り目路６８の隣接した平行パターン６０ａの第１の脚５０に連結する。第５の脚７４が、Ｘ軸で、第２の折り目路６０の第１のパターン６０ａの第２の角度５４の頂点から、第２の折り目路６８の隣接した平行パターン６０ａの第２の角度５４の頂点まで延びる。第６の脚７６が、Ｘ軸で、９０度の第５の角度７８で、第２の折り目路６０の第１のパターン６０ａの第３の脚５６から、第２の折り目路６８の隣接した平行パターン６０ａの第３の脚５６の対応する点まで延びる。前述と同様に、この組み合わせは、反復パターンを形成する。
【手続補正４】
【補正対象書類名】明細書
【補正対象項目名】００３２
【補正方法】変更
【補正の内容】
【００３２】
Ｘ軸とＹ軸での隣接する脚の平行な反復パターンのこれらの組み合わせ、及びこれらの対応する角度は、格子模様の媒体１２の構造体を形成する。従って、図８に示すように、Ｘ軸で第２の折り目路６０の第１のパターン６０ａの第１の脚５０と第２の折り目路６０の第２の平行パターン６０ａの第１の脚５０は、第４の脚７４と第５の脚７０によって連結されて、第１のファセット８０を画成する。同様に、Ｘ軸で、第２の折り目路６０の第１のパターン６０ａの第２の脚５２と第２の折り目路６０の第２の平行パターン６０ａにある第２の脚５２は、第５の脚７４と第６の脚７６によって連結されて、第２のファセット８２を画成する。Ｘ軸で対応する第２の折り目路６０の平行パターン６０ａ，６８の第３の脚５６は、隣接したパターン６２の第６の脚７６及び第５の脚７０によって連結されて、第３のファセット８４を画成する。これら三つのファセット８０，８２，８４は、Ｙ軸（８０，８２，８４の順番で反復）とＸ軸（同一のファセットとして反復）の両方で反復する（図６を参照）。
【手続補正５】
【補正対象書類名】明細書
【補正対象項目名】００３５
【補正方法】変更
【補正の内容】
【００３５】
第２の折り目路６０の反復パターン６０ａの各々では、第２の折り目路６８の連続的な隣接した平行なパターン６８は、第２の折り目路６０のパターン６０ａと反対方向に折り曲げられるように向けられる。これにより、峰又は頂部３０と谷４６の交互のパターンが出来る。図７に示すように、第４の脚７０、第５の脚７４、及び第６の脚７６の筋線は、第２の折り目路６０，６８の隣接したパターン６０ａの峰３０の頂部折り目８８と、谷４６の谷折り目９０の間に延びる直線を形成し、媒体１２の第１の面４９にファセット８０，８２，８４のパターンを形成する。例えば、第４の脚７０は、谷折り目９０を形成するように筋付けられている。（上述のように第２のファセット８２を画成する）第５の脚７４は、頂部折り目８８を形成するように筋付けられている。（上述のように第３のファセット８４を画成する）第６の脚７６は、第４の脚７０のように、谷折り目９０を形成するように筋付けられている。その結果、頂部又は頂点が、ファセット８０，８２の間に作られる。Ｘ軸に沿って第２の折り目路６０の第１のパターン６０ａに隣接した第２の折り目路６０の平行なパターン６０ａでは、これらの筋は、上述した、先に説明されたパターンとは反対方向に折り曲げられるために向けられる。
【手続補正６】
【補正対象書類名】明細書
【補正対象項目名】００３６
【補正方法】変更
【補正の内容】
【００３６】
同様に、第２の折り目路６０，６８の連続的で平行な、隣接したパターン６０ａの脚、より具体的にはＸ軸に沿って連続したパターンの第１の脚５０、第２の脚５２、及び第３の脚５６の各々は、第２の折り目路６０のパターンの各々の脚５０，５２，５６が、第２の折り目路６８の平行パターンの同じ脚とは反対方向に折り曲がるように、反対側に筋付けされている。換言すれば、パターンの外側端８６又は端を除いて、第２の折り目路６０のパターン６０ａの第１の脚５０は、谷折り目９０を含み、第２の折り目路６８のパターン６０ａの第１の脚５０は、頂部折り目８８を含む。第２の折り目路９２のパターン６０ａの第１の脚５０は、谷折り目９０を形成する。その結果、頂部が作り出され、その頂点は、第２の折り目路６８のパターン６０ａの第１の脚５０の頂点である。Ｙ軸に沿う平行パターンの第１の脚５０、第２の脚５２、及び第３の脚５６は、反復するパターン６０，６２，６４全体を通じて、同じ折り曲げ向きを維持する。Ｘ軸に沿う平行なパターンの脚だけが、折り曲げ向きが交互になる。かくして、Ｙ軸に沿う、第１の脚５０、第２の脚５２、及び第３の脚５６の隣接反復パターンは、全てが頂部折り目８８を含み、又は変形として、全てが谷折り目９０向きを含む。
【手続補正７】
【補正対象書類名】明細書
【補正対象項目名】００３７
【補正方法】変更
【補正の内容】
【００３７】
変更された折り目向きに加えて、媒体１２を折り曲げると、第１の角度が狭まり、勾配が増したスロープ又はファセット８０，８２が生じる。折り目は、第１の角度５４がほぼ０度に達する（角度は、使用される材料シートの幅によって制限される）まで続く。ほぼ０度の角度に達すると、第２の折り目路６０の第１の反復するパターン６０ａと第２の折り目路６８の第１の反復するパターン６０ａの間に形成された、第１のファセット８０と第２のファセット８２の面は、互いに実質的に接触する（図９を参照）。同時に、第２の折り目路６８の平行なパターン６０ａと、追加の折り目路９２の平行なパターン６０ａとの間に形成された、第１のファセット８０と第２のファセット８２は、互いに外方に向くように折り曲がる。Ｘ軸の隣接した平行な反復パターンの第１のファセット８０と第２のファセット８２は、ここに説明した四層壁構造３２を形成する。即ち、折り目路６０及び６８の第１の平行なパターン６０ａの間の第１のファセット８０と、折り目路６８と折り目路９２の第１の平行パターン６０ａの間の第１のファセット８０は、第１の二層壁セグメント４２を形成し、折り目路６０及び６８の第１のパターン６０ａの間の第２のファセット８２と、折り目路６８及び９２の第１のパターン６０ａの間の第２のファセット８２は、二層壁セグメント４２を形成する。第１の二層壁セグメント４２は、第１の脚５０で、媒体１２の頂部折り目８８によって形成される。第２の二層壁セグメント４２は、第２の脚５２で、媒体１２の頂部折り目８８によって形成される。第１の角度がほぼ０度の折り曲げ状態での第１の二層壁セグメント４２と第２の二層壁セグメント４２の組み合わせは、四層壁セグメント４０を形成する。
【手続補正８】
【補正対象書類名】明細書
【補正対象項目名】００３８
【補正方法】変更
【補正の内容】
【００３８】
上で言及したように、媒体１２の折り曲げ中、Ｘ軸の平行な反復パターン６０ａの折り目路６０，６８のファセットの間の角度も変わる。即ち、材料シートを折り曲げると、角度は、第１の脚５０、第２の脚５２、及び第３の脚５６の角度が増減する。図７を参照すると、Ｘ軸での、平行なパターン６０ａの第１のファセット８０によって第１の脚５０に画成された角度９４（及び平行なパターン６０ａの第２のファセット８２によって画成された角度９６）は、１８０度（媒体の完全な非折り曲げ状態（図６を参照））から、ほぼ０度（構造の完全な折り曲げ状態（図４を参照））まで変わる。折り曲げ状態の角度９４，９６は、媒体１２の幅によってのみ制限される。平行なパターン６０ａの第３のファセット８４によって第３の脚５６に画成された角度９８は、（完全な非折り曲げ状態にある）１８０度から約６０度の角度に変わる。交互の谷折り目９０と頂部折り目８８に基づいて、この角度９８は、同様に向きが交互になり、一連の頂点３０と谷４６をもたらす。これらの頂点３０と谷４６は、平行な四層壁構造体３２の間に位置決めされる。
【手続補正９】
【補正対象書類名】図面
【補正対象項目名】全図
【補正方法】変更
【補正の内容】
【図１】
2009544874.tif 000001
【図２】
2009544874.tif 000002
【図３】
2009544874.tif 000003
【図４】
2009544874.tif 000004
【図５】
2009544874.tif 000005
【図６】
2009544874.tif 000006
【図７】
2009544874.tif 000007
【図８】
2009544874.tif 000008
【図９】
2009544874.tif 000009